(57)【要約】【課題】  エレメントがブームの貫通孔内で周方向に回転しないアンテナ、及びそのアンテナの製造方法を提供することを目的とする。【解決手段】  ブーム２に形成された貫通孔８の孔縁８ａからブーム２内へ延出するエレメント保持用突出片２０を設ける。そして、当該貫通孔８にエレメント３を挿入し、当該エレメント３の一側開口部から、膨張管５を挿入する。そして、エレメント３の両端から突状のポンチｘ，ｘを挿入し、該ポンチｘ，ｘを膨張管５に圧入して、膨張管５を拡開する。そして、波及的に膨張管周囲の結合部分３０、及びエレメント保持用突出片２０を外方へ変形させることにより、結合部分３０及びエレメント保持用突出片２０を強固に密着させる。【選択図】  図６
2006229497.tif 000002
【特許請求の範囲】
【請求項１】
筒状のブームと、
該ブームに形成された複数の貫通孔に夫々挿通されて、ブームの長軸方向に対して略直交状に列設された複数の筒状エレメントと
からなるアンテナにおいて、
ブームに挿通されたエレメントの、当該ブーム内に位置する結合部分に挿通された、管長がブームの内径より短い膨張管と、
前記膨張管が拡開されて、波及的に、当該膨張管周囲にある前記結合部分、及び貫通孔の孔縁からブーム内へ前記結合部分に沿いながら突出したエレメント保持用突出片が外方へ変形したことによって形成された、貫通孔径よりも径大な径大係止部と
を備えたことを特徴とするアンテナ。
【請求項２】
ブームがアルミニウム製であり、エレメントがステンレス製であることを特徴とする請求項１記載のアンテナ。
【請求項３】
筒状のブームに形成された複数の貫通孔に、両端が開口する筒状のエレメントを夫々挿通して、ブームの長軸方向に対して複数のエレメントを略直交状に列設するアンテナの製造方法において、
ブームに挿通されたエレメントの、当該ブーム内に位置する結合部分の内空部に、外径が当該エレメントの内径と略等しくかつ管長がブームの内径より短い膨張管を当該エレメントの開口から挿入すると共に、膨張管が挿入されたエレメントがブームの貫通孔に挿通された状態で、エレメントの両端から突状のポンチを当該エレメントの内空部に夫々挿入し、ブーム内で各ポンチの先端を膨張管に夫々圧入して膨張管を拡開し、波及的に、該膨張管周囲の前記結合部分、及び貫通孔の孔縁からブーム内へ前記結合部分に沿いながら突出したエレメント保持用突出片を外方へ変形させて、結合部分とエレメント保持用突出片とを密接させることを特徴とするアンテナの製造方法。
【請求項４】
ブームがステンレス製であり、エレメントがアルミニウム製であることを特徴とする請求項３記載のアンテナの製造方法。
【発明の詳細な説明】
【技術分野】
【０００１】
本発明は、テレビ電波の受信等を行う場合に、屋外に設置して用いられるアンテナ、及び当該アンテナの製造方法に関する。
【背景技術】
【０００２】
テレビ電波等の受信を行う屋外用のアンテナは良く知られている。かかる屋外用のアンテナＡは、アルミニウム等の金属材料からなり、図７に示されるように、主軸となる筒状のブームａと、このブームａに形成された複数の貫通孔に挿通されてブームａの長軸方向に略直交する複数の杆状のエレメントｂとからなる構成が一般的である。かかる構成にあって、各エレメントｂをブームａに離脱不能に保持する手段としては、ブームａとエレメントｂとを、相互が交わる箇所ごとにビスｃ止めする手段が一般的に普及している。
【０００３】
しかし、上述の構成はビス止め作業が煩わしく、部品点数も多くなるため、生産性、又はコスト等の点で問題がある。したがって、このような問題を解消しようとした、ビスを用いずにエレメントをブームに固定できるアンテナの製造方法も既に提案されている（例えば、特許文献１参照。）。
【０００４】
【特許文献１】特開２００４−２３６１００号公報
【発明の開示】
【発明が解決しようとする課題】
【０００５】
しかしながら、上記特許文献１に記載される構成は、リブの先端のみがエレメントの外面に当接している構成であるため、貫通孔に挿通されたエレメントが軸方向にずれてしまうことを防止できるものの、当該エレメントが貫通孔内で周方向に回転しやすいという問題がある。また、近年のデジタル放送の一般家庭への本格的な導入に伴い、屋外用のアンテナの需要は益々増え、更なるアンテナの生産性向上が強く切望されているところ、上記特許文献１に記載される構成は、各エレメントをブームに離脱不能とするために、所定の治具が必要であると共に、実際上ブーム内にその治具を挿填させ、かつブーム内を走行させる必要があるため、製造工程が煩雑で大掛かりなものとなり全体として生産効率が悪いという問題もある。
【０００６】
そこで本発明は、これらの課題を解決できる、エレメントがブームの貫通孔内で回転することなく保持されるアンテナ、及び該アンテナを効率良く生産することができるアンテナの製造方法を提供することを目的とする。
【課題を解決するための手段】
【０００７】
本発明は、筒状のブームと、該ブームに形成された複数の貫通孔に夫々挿通されて、ブームの長軸方向に対して略直交状に列設された複数の筒状エレメントとからなるアンテナにおいて、ブームに挿通されたエレメントの、当該ブーム内に位置する結合部分に挿通された、管長がブームの内径より短い膨張管と、前記膨張管が拡開されて、波及的に、当該膨張管周囲にある前記結合部分、及び貫通孔の孔縁からブーム内へ前記結合部分に沿いながら突出したエレメント保持用突出片が外方へ変形したことによって形成された、貫通孔径よりも径大な径大係止部とを備えたことを特徴とするアンテナである。
【０００８】
ここで、上記構成のアンテナを製造する方法としては、次のような構成が提案される。すなわち、筒状のブームに形成された複数の貫通孔に、両端が開口する筒状のエレメントを夫々挿通して、ブームの長軸方向に対して複数のエレメントを略直交状に列設するアンテナの製造方法において、ブームに挿通されたエレメントの、当該ブーム内に位置する結合部分の内空部に、外径が当該エレメントの内径と略等しくかつ管長がブームの内径より短い膨張管を当該エレメントの開口から挿入すると共に、膨張管が挿入されたエレメントがブームの貫通孔に挿通された状態で、エレメントの両端から突状のポンチを当該エレメントの内空部に夫々挿入し、ブーム内で各ポンチの先端を膨張管に夫々圧入して膨張管を拡開し、波及的に、該膨張管周囲の前記結合部分、及び貫通孔の孔縁からブーム内へ前記結合部分に沿いながら突出したエレメント保持用突出片を外方へ変形させて、結合部分とエレメント保持用突出片とを密接させることを特徴とするアンテナの製造方法である。
【０００９】
本発明にかかるアンテナの製造方法にあって、ブームに挿通されたエレメントの、ブーム内に位置している結合部分（ブームとエレメントとが交差している部分）に挿入された膨張管は、そのエレメント内空部で拡開されると、かかる膨張管周囲の結合部分が膨張管の変形に伴って膨隆することとなる。一方、エレメント保持用突出片は、上述のように、当該結合部分に沿って予め設けられているため、膨隆する前記結合部分によって押し上げられて外方へ変形することとなる。これによって、貫通孔径より径大な径大係止部が形成されることとなる。したがって、本発明にかかるアンテナの前記径大係止部は、互いに高い密着度で面接触したエレメント保持用突出片とエレメントの結合部分とで構成されることとなる。ところで、特許文献１に記載される構成は、リブの自由端とエレメントの外面とが当接して当該エレメントを保持するものである。一方、本発明は、エレメントを保持するという機能において従来構成のリブに相当するエレメント保持用突出片が、その突出方向にわたって結合部分の外表面と密接に面接触することにより当該エレメントを保持するものである。したがって、本発明は、前記従来構成に比してエレメントとエレメント保持用突出片（リブ）相互の接触面積が格段に大きく、エレメントの保持強度が飛躍的に増すこととなる。これにより、貫通孔に挿通されたエレメントが、軸方向に移動しないと共に、周方向に回転することもない。
【００１０】
なお、本発明にかかるアンテナの製造方法によれば、単一の膨張管をエレメントに挿入し、両側からポンチを圧入して所定位置で膨張管を拡開するだけで、エレメント保持用突出片とエレメントの結合部分とを高い密着度で面接触させることができる。これに対し、前記特許文献１に記載の従来構成は、リブをエレメントに当接させるために所定の治具が必要であると共に、ブーム内にその治具を挿填させ、かつブーム内を走行させる必要がある。このため、かかる従来構成は製造工程が煩雑で面倒であった。これに対し本発明は、簡易構造の膨張管を拡開加工するだけでよいため、製造工程が簡略化され、飛躍的に生産性が向上する。ところで、膨張管の外径は、エレメントに挿通可能で、かつ拡開されたときにエレメント保持用突出片が外方に変形される範囲に設定されるものであれば良い。
【００１１】
なお、本発明にかかる上記アンテナにあっては、ブームがアルミニウム製であり、エレメントがステンレス製である構成が提案される。ここで、従来は、エレメントがステンレス製であると、アルミニウム製のものよりもさらに回転不能に保持することが難しかったが、本発明にかかる構成とすることにより、ステンレス製のエレメントをブームに対して強固に保持することが可能となる。
【００１２】
また、本発明にかかる上記製造方法にあって、ブームがステンレス製であり、エレメントがアルミニウム製である構成とすることにより、ステンレス製のエレメントがアルミニウム製のブームに強固に保持されたアンテナを製造することが可能となる。
【発明の効果】
【００１３】
本発明のアンテナは、膨張管が拡開されて、波及的に、当該膨張管周囲にあるエレメントの結合部分及びエレメント保持用突出片が外方へ変形したことによって形成された径大係止部を備えた構成としたため、エレメント保持用突出片が、その突出方向に、前記結合部分と密接に面接触することとなり、接触面積が従来構成に比して拡大し、エレメントの保持強度を増すことができる効果がある。これにより、エレメントが貫通孔内で周方向に回転することを防止できる。
【００１４】
なお、上記構成にあっては、ブームがアルミニウム製であり、エレメントがステンレス製である構成とした場合は、ステンレス製のエレメントをブームに対して強固に保持することができる効果がある。
【００１５】
また、本発明のアンテナの製造方法は、結合部分の内空に膨張管を挿入すると共に、膨張管が挿入されたエレメントがブームの貫通孔に挿通された状態で、エレメントの両端からポンチを夫々挿入し、ブーム内で各ポンチの先端を膨張管に夫々圧入して膨張管を拡開し、波及的に、該膨張管周囲の結合部分及びエレメント保持用突出片を外方へ変形させて、エレメントをブームに保持するようにしたため、エレメント保持用突出片と結合部分とが密接に面接触したアンテナを製造することができる利点があると共に、単一の膨張管をエレメントに挿入し、両側からポンチを圧入して所定位置で膨張管を拡開するだけで、エレメント保持用突出片と結合部分とを密接に面接触させることができるため、従来構成に比して製造工程が簡略化されて飛躍的に生産性が向上する効果がある。
【００１６】
また、上記製造方法にあって、ブームがステンレス製であり、エレメントがアルミニウム製である構成とした場合は、ステンレス製のエレメントがアルミニウム製のブームに強固に保持されたアンテナを効率良く製造することができる優れた効果がある。
【発明を実施するための最良の形態】
【００１７】
本発明にかかるアンテナ１、及び該アンテナ１の製造方法を、図１〜図６に従って説明する。
本発明にかかるアンテナ１は、図１に示されるように、主軸となる筒状のブーム２と、このブーム２の長軸方向に対して略直交状に差し渡された複数のエレメント３とで構成されている。具体的には、前記ブーム２に、軸方向に沿って貫通孔８が複数設けられており、該貫通孔８に筒状のエレメント３がそれぞれ挿通されている。
【００１８】
ここで、本実施例にあっては、ブーム２は外径22mm、内径20mm、長さ675mmである。一方、各エレメント３は両端が開口すると共に、外径8mm、内径7mm、長さ155mmである。そしてブーム２には、直径8.1mmの貫通孔８がブーム２の長軸方向に50mm、70mm、80mm又は90mm間隔で相互が対向するように二列に列成されている。なお、この貫通孔８の形状及びエレメント３の外形は共に略真円としている。また、本実施例では、ブーム２はアルミニウムを主材料とする金属材料からなり、エレメント３はステンレス製の金属材料からなる。
【００１９】
次に、本発明の要部について図２等に従って説明する。
本発明の要部は、エレメント３をブーム２に固定するための機構にあり、図３に示されるように、ブーム２の内部に、貫通孔８の孔縁８ａから内方へ突出したエレメント保持用突出片２０が設けられていることを特徴としている。さらに詳述すると、このエレメント保持用突出片２０は、貫通孔８の孔縁８ａのうち、特に上端及び下端からそれぞれブーム２のほぼ中心方向（図３では水平方向）へ突出している。なお、この突出方向は、エレメント３が当該貫通孔８に挿通されたときに当該エレメント３の軸線方向に沿う方向である。また、このエレメント保持用突出片２０は、ブーム２本体と一体的に成形加工されて突設されており、その突出長さは適宜変更可能である。なお、このエレメント保持用突出片２０は、図４に示されるように、ブーム２の長さ方向にわたって延成されている。
【００２０】
一方、前記貫通孔８に挿通されるエレメント３は、従来構成と同様のものが好適に用いられる。
【００２１】
また、本発明にかかるアンテナ１は、図５に示されるような、膨張管５を備えていることを特徴としている。さらに詳述すると、この膨張管５は、純アルミニウム材料からなり、内空を有する管形状となっている。また、その外径Ｄ１は、6.8ｍｍとし、前記エレメント３の内径Ｄ３と略等しくしてエレメント３内に挿通可能としている。このような寸法とすると、当該膨張管５がエレメント３内に丁度収まることとなり、後述するように、エレメント保持用突出片２０を確実に外方へ変形させることが可能となる。また、膨張管５の内径Ｄ２は、3mmとしている。さらに、膨張管５の管長Ｌは、15mmに設定されており、ブーム２の内径よりも短く設定してある。
【００２２】
そして、本発明にかかるアンテナ１を製造するには、まず、図６（イ）に示されるように、エレメント３内に、当該エレメント３の開口から前記膨張管５を挿入する。さらに、膨張管５が挿入されたエレメント３をブーム２の貫通孔８に挿通して、当該エレメント３をブーム２に対して略直交状に差し渡す。なお、かかる状態にあっては、挿通されたエレメント３はブーム２に対して固定されておらず、エレメント３は軸方向に移動可能であると共に、貫通孔８内で周方向に回転可能な状態である。
【００２３】
そして次に、図６（イ）に示されるように、エレメント３の両端から突状のポンチｘ，ｘをそれぞれ挿入する。ここで、このポンチｘの先端部ｘ１の外径は、前記膨張管５の内径Ｄ２である3mmよりも小さく設定されており、かかる先端部ｘ１を膨張管５の内空に挿入可能としている。一方、先端部ｘ１から主軸部ｘ２にかけて、ポンチｘの外径は徐々に拡大し、主軸部ｘ２の外径は膨張管５の内径Ｄ２よりも大きく設定されている。なお、図６（イ）にあっては、既に、膨張管５がブーム２とエレメント３との交差位置、すなわちブーム２内に位置しているが、本発明にあっては、かかる構成は必須の要件ではない。すなわち、図６（ロ）に従って後述するように、膨張管５が拡開加工される際に当該膨張管５がブーム２内に位置していれば良く、ポンチｘをエレメント３に挿入する加工準備過程にあっては、必ずしも加工対象である膨張管５がブーム２内に位置している必要はない。
【００２４】
そしてさらに、油圧装置等（図示省略）を用いて、両ポンチｘを中央に走行させて、図６（ロ）に示されるように、膨張管５がブーム２内にある位置で、ポンチｘを当該膨張管５に圧入する。なお、ポンチｘ、及びかかるポンチｘをエレメント３内で走行させる装置は、公知技術が好適に用いられる。
【００２５】
このように、ブーム２内で各ポンチｘの先端部ｘ１を膨張管５に両側から圧入すると、先端部ｘ１と膨張管５の管口６とが当接しながら、膨張管５が塑性変形して拡開することとなる。
【００２６】
そして、この膨張管５が拡開されることに伴って、当該膨張管５が挿入されたエレメント３のうち、当該膨張管５の周囲に位置する結合部分３０が、波及的に、外方へ塑性変形することとなる。
【００２７】
さらに、当該結合部分３０に沿って設けられていたエレメント保持用突出片２０が、当該結合部分３０に押し上げられながら波及的に外方へ塑性変形することとなる。
【００２８】
そして、図６（ハ）に示されるように、さらにポンチｘを、主軸部ｘ２が膨張管５内に挿通されるまで圧入すると、膨張管５、結合部分３０、及びエレメント保持用突出片２０がさらに外方へ塑性変形し、より一層結合部分３０とエレメント保持用突出片２０との接触面積が拡大することとなる。
【００２９】
次に、図６（ニ）に示されるように、前記ポンチｘを膨張管５及びエレメント３から抜き出す。これにより、図２に示されるような、貫通孔８の孔径よりも径大な径大係止部αが、ブーム２内に形成されることとなる。
【００３０】
ここで、エレメント３をブーム２に固定する構成について再度説明する。
かかる構成にあって、ブーム２内に位置している結合部分３０（ブーム２とエレメント３との交差部分）に挿入された膨張管５が、結合部分３０の内空で拡開されると、当該結合部分３０が膨張管５の変形に伴って膨隆することとなる。そしてさらに、エレメント保持用突出片２０も外方へ変形することとなる。したがって、上記径大係止部αは、互いに高い密着度で面接触したエレメント保持用突出片２０と結合部分３０とで構成されることとなる。すなわち、エレメント保持用突出片２０と結合部分３０との接触面積が従来構成に比して充分に確保され、ブーム２に対するエレメント３の保持強度が飛躍的に増すこととなる。これにより、貫通孔８に挿通されたエレメント３が、軸方向に移動したり、周方向に回転したりすることを防止することができる。
【００３１】
また、上記工程（図６参照）からなるアンテナ１の製造方法は、単一で簡単な形状の膨張管５をエレメント３に挿入し、従来から良く用いられているポンチｘを利用してエレメント３をブーム２に保持する構成であるため、特殊な治具を必要とする従来構成に比して、製造工程が簡略化され、生産効率が向上する効果がある。
【００３２】
なお、上述の製造方法にあっては、膨張管５を挿入したエレメント３を、ブーム２に挿通させて拡開加工を実行するようにしても良いし、ブーム２にエレメント３を挿通してからエレメント３に膨張管５を挿入し、拡開加工を実行するようにしても良い。
【００３３】
また、ブーム２とエレメント３の各寸法、材料、及びブーム２とエレメント３のなす角度等は、適宜変更し得る。例えば、ブーム２とエレメント３が、共にアルミニウム製の物であっても良い。また、膨張管５の寸法は、エレメント３の寸法に対応して適宜変更可能である。また、膨張管５の材料についても適宜変更できる。
【図面の簡単な説明】
【００３４】
【図１】アンテナ１の外観斜視図である。
【図２】アンテナ１の断面正面図である。
【図３】ブーム２の断面正面図である。
【図４】ブーム２の部分縦断側面図である。
【図５】膨張管５の外観斜視図である。
【図６】アンテナ１を製造する方法を示す説明図である。
【図７】従来構成のアンテナＡの斜視図である。
【符号の説明】
【００３５】
１  アンテナ
２  ブーム
３  エレメント
５  膨張管
８  貫通孔
８ａ  孔縁
２０  エレメント保持用突出片
３０  結合部分
ｘ  ポンチ
α  径大係止部
【図１】
2006229497.tif 000003
【図２】
2006229497.tif 000004
【図３】
2006229497.tif 000005
【図４】
2006229497.tif 000006
【図５】
2006229497.tif 000007
【図６】
2006229497.tif 000008
【図７】
2006229497.tif 000009